(57)【要約】【課題】  色合わせを容易に行えるとともに生地見本を間違えずに使用することができるカラーサンプルカードを提供すること。【解決手段】  布地に重ね合わせて使用される生地の見本を示すカラーサンプルカードであって、貫通窓を有する基板と、前記貫通窓の少なくとも一部を覆って張られた生地見本とを備えるカラーサンプルカード。【選択図】        図１
2007065033.tif 000002
【特許請求の範囲】
【請求項１】
布地に重ね合わせて使用される生地の見本を示すカラーサンプルカードであって、
貫通窓を有する基板と、
前記貫通窓の少なくとも一部を覆って張られた生地見本とを備えるカラーサンプルカード。
【請求項２】
前記貫通窓が複数の生地見本それぞれに対応して複数開口配置される請求項１のカラーサンプルカード。
【請求項３】
前記各貫通窓に着脱自在に配置され、且つ前記生地見本を保持する開口を有する枠体を備える請求項１又は２のいずれかに記載のカラーサンプルカード。
【発明の詳細な説明】
【技術分野】
【０００１】
本発明は、布地に重ね合わせて使用される生地の見本を示し、互いの色合せをするのに用いるカラーサンプルカードに関する。
【背景技術】
【０００２】
通常、洋服を作るときに、裏地や芯地は、必要な箇所につけられる。例えば、ブラウスやシャツなどの薄手の生地を使用する場合には、主に、襟、前立または見返し、カフスといった場所に芯地を入れる。これに用いられる芯地としては、接着芯地が多く用いられている。一方、ジャケットの場合は、前身頃、見返し、地襟、ヘム、袖口、ポケット口、後身頃等に必要に応じて芯地を接着する。裏地は、袖、前身頃の裏、脇身頃の裏、後身頃の裏等に必要に応じてつけられる。
【０００３】
図５は従来の生地見本を表示する一例であるカラーカードサンプルを示す概略図である。この図では、裏地・芯地・スレーキ等の生地見本１０１が駒１０２に巻き付けられており、その駒１０２がインデックスボード１０３上の所定取付け位置に差し込まれているカラーサンプルカード１００が知られている（例えば、非特許文献１参照）。
【０００４】
このようなカラーサンプルカード１００では、それぞれ駒１０２に巻かれ、インデックスボード１０３に差し込まれている、裏地・芯地・スレーキ等の複数の生地見本１０１を一覧することで、洋服の表地の色や濃淡や柄に合わせて裏地や芯地を選ぶが、その時に、表地と同じような色を探して駒１０２をインデックスボード１０３から取り外し、その表地と比べる。このとき、表地の色に合うと思われる色を１〜３色ほど選んでそれぞれの駒１０２から生地見本１０１を取り外し、表地に密着させながら、表地の表から見て違和感がないかが確認される。そして、その後に、駒１０２から取り外した裏地や芯地の生地見本１０１をもとの駒１０２に巻き直すようにしている。このように、色合わせは、通常、裏地や芯地の生地見本１０１を表地に密着させ、透かして見て最終判断を行う。このとき、薄い生地は必ず透かすが、厚くて透けない場合は生地の色と違和感のない色を選ぶことが多い。特に、上代の高い服の場合は、釦ホールから見える芯地の色が表地と違和感のないようにすることが望ましい。
【０００５】
【非特許文献１】日東紡株式会社  ２００４年０８月発行  ＮＲ１３１  薄手素材用超ソフト透明芯地カラーサンプルカード
【発明の開示】
【発明が解決しようとする課題】
【０００６】
ところが、上記特許文献１に開示された従来のカラーサンプルカード１００では、色合わせを行う際に、布地に対して色合わせする裏地や芯地の生地見本１０１を駒１０２から取り外し、布地との比較を行う。つぎに、色合わせを行った後に、生地見本１０１を駒１０２に巻き戻さなければならないために、その作業に時間を必要とし、その作業が面倒なので、生地見本１０１を駒１０２にきちんと巻き戻さないことがある。
また、一度に数色の生地見本１０１を駒１０２から取り外して検討した場合、色合わせ作業の終了後に、駒１０２に再度巻き付けを行う際に、生地見本１０１を正規の駒１０２とは異なる駒１０２に巻きつけてしまうこともある。通常、駒１０２には、色番号が記載されており、異なる色番の生地見本１０１が巻きつけられてしまうと、次に色合わせ作業を行うときに、実際の生地見本１０１とは異なる色番で色合わせをすることとなり、その結果、色合わせを行った色番とは違う色を発注する虞がある。
【０００７】
本発明は、上述した事情に鑑みてなされたものであり、その目的は、色合わせを容易に行えるとともに生地見本を間違えずに使用することができるカラーサンプルカードを提供することにある。
【課題を解決するための手段】
【０００８】
本発明に係る上記課題は、下記構成により達成される。
（１）布地に重ね合わせて使用される生地の見本を示すカラーサンプルカードであって、貫通窓を有する基板と、前記貫通窓の少なくとも一部を覆って張られた生地見本とを備えるカラーサンプルカード。
【０００９】
上記１）に記載の発明によれば、カラーサンプルカードを持って布地に合わせるだけで、その貫通窓に表示されている生地見本が布地に合っているか否かを布地側から見て簡単に判断することができる。
そして、生地見本を貫通窓の一部のみを覆うように張ることによって、貫通窓内で布地と生地見本とを透して見える部分と、布地のみを透して見える部分と、が創生される。これにより、例えば、表地と芯地が重なる部分での透け具合と、表地と芯地とが重ならない部分での透け具合と、の両方を瞬時に見比べることができるので、より適切な色合わせを行うことができる。
【００１０】
更に、本発明に係る上記課題は、下記構成により達成される。
（２）前記貫通窓が複数の生地見本それぞれに対応して複数開口配置される上記１）のカラーサンプルカード。
このように、この貫通窓を一面に複数備えるカラーサンプルカードとすることで、一枚の布地に対して、複数サンプルを同時に比較することも可能となる。
また、従来のもののように、最終色合わせでも生地見本を取り外すこと自体がないので、簡単に色合わせを行うことができるとともに、生地見本と生地見本の色番の駒を取違えて戻すことがない。従って色番を間違えて発注することもなくなる。
【００１１】
更に、本発明に係る上記課題は、下記構成により達成される。
（３）前記各貫通窓に着脱自在に配置され、且つ前記生地見本を保持する開口を有する枠体を備えるカラーサンプルカード。
【００１２】
上記３）に記載の発明によれば、枠体により生地見本を保持し、カラーサンプルカードに対して着脱自在とすることで、取り外した枠体だけで色合わせを行うことができるので、色合わせを更に簡単自在に行うことができる。もちろん、その枠体と生地見本とは一体的に組み付けられ、且つ取り外すことができないので、見本を巻き直す手間自体が存在せず、よって、生地見本の種類と異なる種類を示すカラーサンプルカードに組み付けられるようなこともなく、その枠体に生地見本を特定する色番号などが設けられることで、常に生地見本を正確に特定できる。さらに、シーズンや流行によって色番を入れ替えることも可能である。
【発明の効果】
【００１３】
本発明のカラーサンプルカードによれば、色合わせを行った後の生地見本を戻す作業に時間を必要とする、色合わせを行った色番とは違う色を発注する虞がある、という問題を解決でき、これにより、色合わせを容易に行えるとともに生地見本を間違えずに使用することができるという効果が得られる。さらに、一枚の基板に複数の開口を設け、複数の生地見本を配置する構成とすることにより、布地をカラーサンプルカードに合わせるだけで、複数の生地との適合状態を比較することができ、手間もかからず、容易に適切な生地を選択することが可能となる。
【発明を実施するための最良の形態】
【００１４】
以下、本発明に係る好適な実施の形態例を図面に基づいて詳細に説明する。
【００１５】
図１は本発明のカラーサンプルカードの一実施形態を示す一部破断外観斜視図、図２は図１に示すカラーサンプルカードを用いて行う色合わせの説明図、図３は図１に示すカラーサンプルカードの変形例の一部破断外観斜視図である。
【００１６】
図１に示すように、本発明の一実施形態に係るカラーサンプルカード冊子１０は、表紙１１と、台紙１２と、複数枚のカラーサンプルカード１３と、から構成されている。
【００１７】
表紙１１は、基端部が台紙１２に貼り付けられており、台紙１２に対して展開自在である。表紙１１及び台紙１２は、見易さの点から、例えば、Ａ４程度の大きさの物を保持する寸法として、横寸法が２２ｃｍで、縦寸法が３０ｃｍなどが好適である。
【００１８】
本実施形態のカラーサンプルカード１３では、板状の２枚の基板シート１４が重ね合わされて成形されている。このシートの材質は、厚紙が好ましいが、これに限らず、ポリエステルやアクリル系の材料を使用することもできる。このカラーサンプルカード１３には、例えば、横列に４個、縦列に５個ずつの複数の２０個の貫通窓１５が形成される。寸法としては、表紙１１及び台紙１２と同様の寸法かもしくはそれより若干小さめが好適である。
【００１９】
このカラーサンプルカード１３の貫通窓１５では、それぞれに生地見本３０がカラーサンプルカード１３を構成する２枚のシートに挟まれて収納される。そして、それぞれの生地見本３０は、貫通窓１５全面を覆う配置とすることもできるが、貫通窓１５の片側に幅寸法に対して２割程度の空隙部１６を置いて組み付ける構成とすることもできる。この場合、空隙部１６部分の貫通窓１５は生地見本３０が配置されないために、当然ながら、完全に貫通状になっている。なお、カラーサンプルカード冊子１０を前述のような寸法とする場合、この貫通窓１５の寸法としては、横：３ｃｍ、縦：３ｃｍの正方形が好適である。
各貫通窓１５に配置される生地見本３０の色番を特定するために、各貫通窓１５の近傍のカラーサンプルカード１３上面に色番が設けられる。この色番により各生地見本３０を特定する。
【００２０】
本実施形態では、カラーサンプルカード１３に複数の貫通窓１５を設けたが、カラーサンプルカード１３自体を小型化し、貫通窓１５を１つ若しくは、２〜３個程度にすることも可能である。携帯性が高くなり、組み合わせについて、ある程度目的が絞られている場合などには有効である。
【００２１】
本実施形態では、生地見本３０として、裏地、芯地やスレーキの見本を念頭に置いており、色の組み合わせ、ソフトの風合いとハードの風合いとの組み合わせ及び、薄い風合いとボリューム感のある風合いとの組み合わせにしたがって複数枚が選ばれる。しかしながら、その他、布地の組み合わせであれば、どのような、場合でも利用可能である。
【００２２】
カラーサンプルカード１３は、台紙１２にピン１７によって固定されているために、持ち運び等の移動の際は台紙１２から外れずに保持され、使用時にピン１７を抜くことで台紙１２から単独に取り外すことができる。条件によって、カラーサンプルカード１３が交換される。
【００２３】
以下には比較的薄手の表地に対する裏地の選択方法を示している。図２に示すように、カラーサンプルカード冊子１０を用いて色合わせを行う場合、カラーサンプルカード１３を台紙１２から取り外すか、台紙１２に固定されたままで表地４０を上に置く。この場合、表地４０は、白地４１に花柄の絵部４２が描かれている。
【００２４】
表地４０をカラーサンプルカード１３上に置いて観察する。このようにすることで、表地４０の裏側でカラーサンプルカード１３の貫通窓１５が配置されている部分において、生地見本３０のある部分は表地４０と生地見本３０とが重なっているために、この部分で表地４０と生地見本３０との色合いが表示される。更に、表地４０の裏側でカラーサンプルカード１３の貫通窓１５が配置されている部分において、空隙部１６のある部分は生地見本３０がないために、生地見本３０を透さない直接的な色合いが表示される。ここで、表地４０を置いたカラーサンプルカード１３は、太陽光等の自然光、蛍光灯や白熱電球等の人工光などの下で見比べることで、より適切な色合いを検討するのが良い。
【００２５】
このように、表地４０に生地見本３０が重ね合わされた部分と、表地４０に生地見本３０が重ね合わされていない部分とを容易に見比べることができる。従って、芯地又は裏地として、同系色が良いか、或いは中間色が良いかの判断を容易に行うことができる。
【００２６】
次に、本発明の他の実施形態を説明する。
図３は本発明の他の実施形態のカラーサンプルカードの部分拡大図である。
この図は、カラーサンプルカード５３における貫通窓５５の１つを拡大したものであり、図１でも示していように、貫通窓は複数配置される。
この貫通窓５５の上端縁及び下端縁にはスリット５８がそれぞれ設けられており、これらスリット５８に、生地見本６０を保持した枠体５９が着脱自在に取付けられる。
【００２７】
枠体５９は、生地見本６０で少なくともその一部が覆われる開口５６を備えた枠状板部材であり、生地見本６０の色番（例えば２０）が例えば図示したＹの位置に記載されている。また、カラーサンプルカード５３には、枠体５９と同一の色番（例えば２０）が例えば図示したＺの位置に記載されている。
【００２８】
この場合、色合わせは、上記と同様に行うことができるのに加えて、生地見本６０を有する枠体５９をカラーサンプルカード５３から取り外し、その枠体５９に表地（図２参照）４０を重ね合わせて行われる。このとき、枠体５９が単独で持ち運び可能であるために、表地４０が置かれている棚等に簡単に持って行くことができるとともに、クライアントが現在着ている洋服に直接合わせたりすることもできる。
【００２９】
なお、カラーサンプルカード５３において枠体５９を挿脱自在に取付ける手段としては、透明なポケット形状の部材であっても良い。更には、ポケット形状の淵部を切り欠いて、枠体５９をスライドさせて挿入する形状とすることもできる。また、枠体５９の角部分を保持するスリットとしても良い。
【００３０】
本実施形態によれば、カラーサンプルカード５３から取り外した枠体５９を持って表地４０に合わせるだけで、そのカラーサンプルカード５３の貫通窓５５又は枠体５９に表示されている色番号の生地見本６０のいずれが表地４０に合っているか否かを簡単に判断することができる。これにより、従来のように、駒から生地見本を取り外すことなく、また、取り外した生地見本を駒に巻き直す手間もないので、簡単に色合わせを行うことができるとともに生地見本を間違えることもなくなる。このとき、表地４０を枠体５９に合わせた際に、開口５６内に生地見本６０を透して見える部分と、空隙部５６により生地見本６０を透さずに見える部分とが創生される。これにより、例えば表地４０に芯地を接着する部分での透け具合と、表地４０に芯地を接着しない部分での透け具合と、の両方を見比べることができるので、より適切な色合わせを行うことができる。
【００３１】
また、カラーサンプルカード５３から枠体５９を取り出すことで、その枠体５９を持って色合わせを行うことができるので、色合わせを更に簡単に行うことができる。このとき、枠体５９と生地見本６０とは一体的に組み付けられることで、生地見本を巻き直す手間も、生地見本３０と枠体５９とを間違えて組み付けるようなこともない。
【００３２】
なお、本発明は、前述した実施形態に限定されるものではなく、適宜、変形、改良等が自在である。
例えば、カラーサンプルカードに表示する生地見本の数は、図示した２０枚に限定されずに、可能な限り多くの枚数を表示するのが良い。
また、空隙部は、切欠窓の右端に限らず、上端や下端等、意匠的に好ましい位置に配置されるのが良い。
【００３３】
図４は本発明のカラーサンプルカードの更に他の実施形態を示す一部破断外観斜視図である。
この実施形態では図３に示した枠体５９と同様の構成である枠体７９を使用し、１枚のカラーサンプルカードで６個の枠体７９を配置できる構成である。
【００３４】
生地見本８０を保持する枠体７９にはその生地見本８０が配置される貫通窓７５があり、その一部が生地見本８０が張られない空隙部７６となっている。この空隙部７６は図３に示した枠体５９の空隙部５６と同様の作用を備える。そして、枠体７９の左右両端にはフラップ部７２が備えられている。また、色番位置７８にはこの枠体７９に張られる生地見本の色番が配置される。
【００３５】
一方、カラーサンプルカード９３の基板９４には、枠体７９の配置位置において、枠体７９の左右両端であるフラップ部７２に対応する位置に一対のスリット９８が設けられている。このスリット９８にフラップ部７２を挿入することで、枠体７９を基板９４に着脱自在に保持する。この一対のスリット９８の間には枠体７９に配置された貫通窓７５に対応する貫通窓９５が備えられる。この貫通窓７５と貫通窓９５により生地見本８０には裏と表から光が当たるようになる為、より自然な状態で、色合わせを行うことができる。
【００３６】
このように、基本的には図３に示した枠体５９と同様に、枠体７９を基板９４に着脱自在に保持する構成となっている。従って、カラーサンプルカード９３から取り外した枠体７９と表地４０とを合わせるだけで、そのカラーサンプルカード９３の貫通窓９５又は枠体７９に表示されている色番号の生地見本８０との色合わせを簡単かつ確実に判断することができる。更には、図３に示した枠体５９と同様の効果を奏する。
【図面の簡単な説明】
【００３７】
【図１】本発明のカラーサンプルカードの一実施形態を示す一部破断外観斜視図である。
【図２】図１に示したカラーサンプルカードを用いて行う色合わせの説明図である。
【図３】本発明のカラーサンプルカードの他の実施形態を示す部分拡大図である。
【図４】本発明のカラーサンプルカードの更に他の実施形態を示す一部破断外観斜視図である。
【図５】従来のカラーサンプルカードの一部破断外観斜視図である。
【符号の説明】
【００３８】
１０  カラーサンプルカード冊子
１３，５３，９３  カラーサンプルカード
１４，９４  基板シート
１５，５５，９５  貫通窓
１６，５６，７６  空隙部
５８，９８  スリット
５９，７９  枠体
３０，６０，８０  生地見本
４０  表地
【図１】
2007065033.tif 000003
【図２】
2007065033.tif 000004
【図３】
2007065033.tif 000005
【図４】
2007065033.tif 000006
【図５】
2007065033.tif 000007